(57)【要約】【課題】ＣＤレーザを用いて光ディスクの判別を行うことにより、ディスク判別にかかっていた時間の短縮化を図ることと、ピックアップの上下動作を小さくする。【解決手段】ＣＤレーザーを用いてフォーカスＯＮした時、装着されている光ディスクの種類により、ピックアップに返ってくる反射光より得られるＬＶＬ信号波形に違いが見られる。その信号が振幅検波器３８、ＤＣレベル検波器３９をそれぞれ介して検波された値を検出する。それぞれの値と予め設定した任意の閾値に対し大か小か比較する。その結果をＣＰＵ２２に送り、ＣＰＵ２２が何のディスクかを判別する。その判別結果を基にＣＤタイプの光ディスクであればそのまま光ディスク認識が終了となり、ＤＶＤタイプの光ディスクであればＣＤレーザーからＤＶＤレーザーに切り換え、その後にフォーカスＯＮをやり直してディスク認識の終了する。【選択図】      図１
2004152377.tif 000002
【特許請求の範囲】
【請求項１】
光ディスクドライブに装着された光ディスクの種別を判別する光ディスク判別方法において、
ＣＤ用レーザを用いて前記光ディスクにフォーカスＯＮ状態とし、該状態のときの前記ＣＤ用レーザで前記光ディスクから読み取った信号内容に基づき、予め設定されたしきい値に対する比較を行い、該比較結果に基づいて前記光ディスクの種別の判別を行うことを特徴とする光ディスク判別方法。
【請求項２】
前記光ディスクから読み取った信号から判別に利用する内容は、該信号の振幅およびＤＣレベルであることを特徴とする請求項１記載の光ディスク判別方法。
【請求項３】
反射層および該反射層上に形成された透明基板を有する判別対象としての光ディスクと、
前記光ディスクに光ビームを集光する光軸を有する集光手段と、
光軸に沿って前記集光手段を移動させる移動手段と、
ＣＤ用レーザを用いて前記集光手段の移動に伴い発生する、前記透明基板の表面からの反射ビームおよび前記反射層からの反射ビームに基づいて生成される読み取り信号を予め設定されたしきい値と比較することで前記光ディスクの種別の判別を行う判別手段とを具備することを特徴とする光ディスクドライブ装置。
【請求項４】
前記反射ビームに基づいて生成される比較対象の読み取り信号は、少なくとも振幅およびＤＣレベルであることを特徴とする請求項３記載の光ディスクドライブ装置。
【請求項５】
光ディスクドライブ装置に装着された光ディスクの種別を判別する光ディスクドライブ装置において、
ＣＤ用レーザを用いて前記光ディスクにフォーカスＯＮ状態とする手段と、
前記状態のときの前記ＣＤ用レーザで前記光ディスクから読み取った信号内容に基づき、予め設定されたしきい値に対する比較を行う手段と、
前記手段による比較結果に基づいて前記光ディスクの種別の判別を行う手段とを具備したことを特徴とする光ディスクドライブ装置。
【発明の詳細な説明】
【０００１】
【発明の属する技術分野】
この発明は、異なるフォーマットの光ディスクの駆動が可能な光ディスク装置に装着される光ディスクの種別を判別する光ディスク判別方法および光ディスクドライブ装置に関する。
【０００２】
【従来の技術】
従来のＣＤ（Ｃｏｍｐａｃｔ  Ｄｉｓｋ），ＤＶＤ（Ｄｉｇｉｔａｌ  Ｖｅｒｓａｔｉｌｅ  Ｄｉｓｋ）等の異なるフォーマットの光ディスクの種別を判別する技術は、ピックアップのアクチュエータを複数回上下動させて行っている。（例えば、特許文献１）
【０００３】
【特許文献１】
特開平１０−１８８４５８号公報（第８，９頁、図１６，１７）
【０００４】
【発明が解決しようとする課題】
上記した特許文献１の技術は、ＣＤとＤＶＤディスクを見分けるために透明基板の表面での鏡面反射から反射層までの時間の差を計っていた。透明基板の厚さがＣＤの場合は１．２ｍｍの厚さがあり、ＤＶＤの場合は０．６ｍｍの厚さがあり、透明基板の表面から反射層までの距離が異なる。このために、ピックアップの焦点が透明基板の表面から反射層に至るまでの時間に差が生じる。この時間差を利用した光ディスクの判別ではピックアップの上下動を繰り返す必要があり、この上下動に時間を要し、判別に時間がかかっていた。
【０００５】
この発明の目的は、ディスク判別にかかっていた時間の短縮化を図ることができ、また、ピックアップの上下動作を小さくすることのできる光ディスク判別方法および光ディスクドライブ装置を提供することにある。
【０００６】
【課題を解決するための手段】
上記した課題を解決するために、この発明の光ディスク判別方法は、光ディスクドライブに装着された光ディスクの種別を判別する方法にあって、ＣＤ用レーザを用いて前記光ディスクにフォーカスＯＮ状態とし、該状態のときの前記ＣＤ用レーザで前記光ディスクから読み取った信号内容に基づき、予め設定されたしきい値に対する比較を行い、該比較結果に基づいて前記光ディスクの判別を行うことを特徴とする。
【０００７】
この発明の光ディスクドライブ装置は、反射層および該反射層上に形成された透明基板を有する判別対象としての光ディスクと、前記光ディスクに光ビームを集光する光軸を有する集光手段と、光軸に沿って前記集光手段を移動させる移動手段と、ＣＤ用レーザを用いて前記集光手段の移動に伴い発生する、前記透明基板の表面からの反射ビームおよび前記反射層からの反射ビームに基づいて生成される読み取り信号を予め設定されたしきい値と比較することで前記光ディスクの種別の判別を行う判別手段とを具備することを特徴とする。
【０００８】
また、この発明の光ディスクドライブ装置は、光ディスクドライブ装置に装着された光ディスクの種別を判別するものにあって、ＣＤ用レーザを用いて前記光ディスクにフォーカスＯＮ状態にする手段と、前記状態のときの前記ＣＤ用レーザで前記光ディスクから読み取った信号内容に基づき、予め設定されたしきい値に対する比較を行う手段と、前記手段による比較結果に基づいて前記光ディスクの判別を行う手段とを具備したことを特徴とする。
【０００９】
【発明の実施の形態】
以下、この発明の実施の形態について、図面を参照しながら詳細に説明する。図１は、この発明の一実施の形態について説明するための光学系並びにその周辺回路構成図である。
図１において、光ディスク１１は、簡略化して示され、ＤＶＤ用の光ディスク１１の反射層でもある記録面１２ａおよびＣＤ用の光ディスク１１の反射層でもある記録面１２ｂが同時に描かれている。いずれの光ディスク１１も透明基板１３を備えている。
【００１０】
ＤＶＤ用の光ディスク１１とＣＤ用の光ディスク１１のそれぞれの透明基板１３の厚さは異なっている。従って、ＤＶＤ用およびＣＤ用の光ディスク１１がそれぞれ装着された際には、その記録面１２ａ、１２ｂが配置されることとなる。すなわち、ＤＶＤ用の記録面１２ａは、ＣＤ用の記録面１２ｂよりもより対物レンズ１４に近い位置に配置される。
【００１１】
対物レンズ１４は、ＤＶＤおよびＣＤにも利用可能な単一のレンズに設計され、そのためにレンズ面が複合レンズ曲面に形成されても良い。対物レンズ１４がフォーカス位置に配置された際には、ＤＶＤ用のレーザビーム１５ａがＤＶＤ用の記録面１２ａにフォーカスされ、ＣＤ用レーザビーム１５ｂがＣＤ用の記録面１２ｂにフォーカスされる。この対物レンズ１４は、その光軸に沿って移動可能にフォーカス用コイル１６によってサスペンドされている。この対物レンズ１４の光軸方向の移動を制限するストッパ１７ａ、１７ｂが光ディスク１１側および光源側に設けられている。このストッパ１７ａ、１７ｂによって対物レンズ１４が光ディスク１１に最も近づく近接位置および光ディスク１１から最も離れたリモート位置が定められ、この間で対物レンズ１４が移動される。対物レンズ１４は、フォーカス用コイル１６のみならず、トラッキング用コイル１８によっても駆動可能に支持され、フォーカス用コイル１６およびトラッキング用コイル１８は、対物レンズ駆動回路１９，２０によってそれぞれ駆動され、対物レンズ１４は、フォーカス方向およびトラッキング方向に移動され、フォーカス状態およびトラッキング状態に維持される。
【００１２】
図１に示す光学系では、ＤＶＤ用のレーザビーム１５ａ、例えば６５０ｎｍの波長を有するレーザビームを発生するＤＶＤ用半導体レーザ２１およびＣＤ用レーザビーム１５ｂ、例えば７８０ｎｍの波長を有するレーザビームを発生するＣＤ用半導体レーザ２４が設けられ、このＤＶＤ用およびＣＤ用半導体レーザ２１、２４は、光ディスク１１の種別に応じて選択的にレーザ駆動回路２３によって駆動される。すなわち、光ディスク１１の種別がＤＶＤであることが、判別されると、システムＣＰＵ（中央演算処理部）２２からの種別信号によってレーザ駆動回路２３がＤＶＤ用半導体レーザ２１を駆動する条件に切り換えられてＤＶＤ用半導体レーザ２１が駆動されてＤＶＤ用のレーザビーム１５ａが半導体レーザ２１から発生される。また、光ディスク１１の種別がＣＤであることが、判別されると、システムＣＰＵ２２からの種別信号によって、レーザ駆動回路２３がＣＤ用半導体レーザ２４を駆動する条件に切り換えられ、ＣＤ用半導体レーザ２４が駆動されてＣＤ用のレーザビーム１５ｂがこの半導体レーザ２１から発生される。
【００１３】
ＤＶＤ用のレーザビーム１５ａは、コリメータレンズ２５を介してハーフプリズム２６に入射され、このハーフプリズム２６を通過して対物レンズ１４に向けられる。同様にＣＤ用のレーザビーム１５ｂは、コリメータレンズ２７を介してハーフプリズム２６に入射され、このハーフプリズム２６で反射されて対物レンズ１４に向けられる。両レーザビーム１５ａ、１５ｂは、ダイクロイックプリズム２８および１／４波長板２９を通過して対物レンズ１４に入射され、対物レンズ１４によってそれぞれ対応する反射面１２ａ、１２ｂに収束される。反射面１２ａ、１２ｂから反射されたレーザビーム１５ａ、１５ｂは、再び１／４波長板２９を通過することによって、その偏光面が回転されてダイクロイックプリズム２８によって反射される。反射されたレーザビーム１５ａ、１５ｂは、収束レンズ３０で集光されてハーフプリズム３１に入射される。ＤＶＤ用のレーザビーム１５ａは、ハーフプリズム３１を通過してＤＶＤ用の検出器３２で検出され、ＣＤ用のレーザビーム１５ｂは、ハーフプリズム３１で反射されてＣＤ用の検出器３３で検出される。このＤＶＤ用およびＣＤ用の検出器３２、３３は、選択的に駆動される半導体レーザ２１、２４に対応して選択的に有効とされ、このＤＶＤ用およびＣＤ用の検出器３２、３３のいずれからの検出信号に従って、加算器３４から加算信号が発生され、フォーカスエラー信号発生回路３５からフォーカスエラー（ＦＥ）信号が発生され、トラッキングエラー信号発生回路３６からトラッキングエラー（ＴＥ）信号が発生される。これら加算信号、フォーカスエラー信号およびトラッキングエラー信号は、Ａ／Ｄ変換器３７を介してシステムＣＰＵ２２に供給され、フォーカスサーボ、トラッキングサーボおよび再生信号の処理が実行される。
【００１４】
次に、ＣＤレーザを用いた光ディスクの判別について、図２のフローチャートとともに説明する。
ＣＤレーザーを用いてフォーカスＯＮをさせると（Ｓ１）、装着されている光ディスクからピックアップに返ってくる反射光を４分割してＡ〜Ｄの信号を得る。これらＡ〜Ｄの信号を加算して得られるＬＶＬ（Ｌｅｖｅｌ）信号は、光ディスクによりＬＶＬ信号に違いが見られる。ＬＶＬ信号が振幅検波器３８を通り、振幅の大きさを得る（Ｓ２）。
【００１５】
図３、図４に示すように、ＣＤディスクの振幅ａはＤＶＤディスクの振幅ｂに比べて大きい。この振幅から得た値をＣＰＵ２２にて比較して（Ｓ３）、ＣＤタイプディスクかＤＶＤタイプディスクかの判別を行う（Ｓ４）。比較の方法としては任意の値を決め、その値より振幅検波器３８で得た値が大か小かによって判別が可能である。
【００１６】
同様に、ＬＶＬ信号がＤＣレベル検波器３９を通り、ＬＶＬ信号のＤＣレベルの大きさを得る（Ｓ２）。図５、図６に示すように、ＣＤ−Ｒの場合のＤＣレベルｃは、ＣＤ−ＲＷの場合のＤＣレベルｄに比べて大きい。このＤＣレベルの大きさの違いをＣＰＵ２２にて比較し（Ｓ３）、高反射ディスクか低反射ディスクかの判別を行う（Ｓ４）。こちらのＤＣレベルの判別方法も上記の振幅の大きさの判別方法と同様の判別方法が可能である。
【００１７】
ステップＳ５において、ＣＤタイプのディスクであれば、そのままディスク認識が終了となり、ＤＶＤタイプのディスクであれば、ＣＤレーザーからＤＶＤレーザに切り換え（Ｓ６）、その後にフォーカスＯＮをやり直して（Ｓ７）ディスク認識の終了となる。
【００１８】
この実施の形態では、ＣＤ用のレーザを用いたフォーカスＯＮ時のピックアップに返ってくる反射光より得られるＬＶＬ信号のみで光ディスク判別を行うことで、光ディスク判別作業が簡潔になり光ディスクを判別の効率を良くすることができる。
【００１９】
上記したように、この発明では、ＣＤレーザーでフォーカスＯＮさせた状態のＬＶＬ信号波形のみを用いて光ディスクの判別を行うため、透明基板の表面を確認する必要がなくなる。そのために図７のＰ０の位置でディスクの表面を確認しなくてもよい。また、この発明ではＰ１のポジションでの反射光を利用しＬＶＬ信号を得、このＬＶＬ信号にてディスク認識を行う。このため、この発明のディスク判別ではピックアップをＰ０の位置まで下げなくてもディスク判別が可能となる。
【００２０】
従って、この発明でのディスク判別は少ない光ピックアップの動きで光ディスクの判別を行うことができる。
【００２１】
【発明の効果】
以上説明したように、この発明によれば、フォーカスＯＮ時のピックアップに返ってくる反射光より得られるＬＶＬ信号のみで光ディスク判別を行うことで、光ディスク判別作業が簡潔になり、ディスク判別にかかっていた時間を短縮できることと、ピックアップの上下動作を小さくすることが可能となる。
【図面の簡単な説明】
【図１】この発明の一実施の形態について説明するための構成図。
【図２】図１の主要部の動作について説明するためのフローチャート。
【図３】ＣＤ−ＲＯＭ用光ディスクより読み出されるＬＶＬ信号について説明するための説明図。
【図４】ＤＶＤ用光ディスクより読み出されるＬＶＬ信号について説明するための説明図。
【図５】ＣＤ−Ｒ用光ディスクより読み出されるＬＶＬ信号について説明するための説明図。
【図６】ＣＤ−ＲＷ用光ディスクより読み出されるＬＶＬ信号について説明するための説明図。
【図７】従来の課題について説明するための説明図。
【符号の説明】
１１…光ディスク
１２ａ，１２ｂ…記録面（反射層）
１３…透明基板（反射面）
１４…対物レンズ
１５ａ…ＤＶＤ用のレーザビーム
１５ｂ…ＣＤ用レーザビーム
１６…フォーカス用コイル
１８…トラッキング用コイル
１９，２０…対物レンズ駆動回路
２１…ＤＶＤ用半導体レーザ
２２…システムＣＰＵ
２３…レーザ駆動回路
２４…ＣＤ用半導体レーザ
３２，３３…検波器
３４…加算器
３５…フォーカスエラー信号発生回路
３６…トラッキングエラー信号発生回路
【図１】
2004152377.tif 000003
【図２】
2004152377.tif 000004
【図３】
2004152377.tif 000005
【図４】
2004152377.tif 000006
【図５】
2004152377.tif 000007
【図６】
2004152377.tif 000008
【図７】
2004152377.tif 000009